【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
外周端部と、長軸を有する複数の細長いチップを支持する、水平面から傾斜する上面とを有する回転可能なロードプレートと、
前記上面および前記ロードプレートの前記外周端部に位置する複数のスロットと、
前記ロードプレートの前記外周端部の曲率に従い隣接して設置される外壁と、
前記複数のスロットのそれぞれの外端上で前記ロードプレートの前記上面に軸方向に延在し、かつ前記回転可能なロードプレートの前記外周端部に隣接する移送スロットとを備え、
前記複数のスロットのそれぞれは、チップの長軸が前記回転可能なロードプレートの回転軸に対して垂直に位置する状態で、かつチップの長軸が前記回転可能なロードプレートの半径と平行に位置する状態で少なくとも１つの細長いチップを収容する大きさであり、
各スロットから各移送スロットに下降する細長いチップが前記長軸で９０度の回転をするように、各移送スロットが形成されることを特徴とする長軸部品ローダ。
【請求項２】
前記ロードプレートの前記上面および前記外壁の内面に対向する側で前記複数のスロットのうちの少なくともいくつかの上部に設置され、かつ前記ロードプレートの前記回転軸について設置される内壁をさらに備え、
各移送スロットは、前記チップの前記長軸と少なくとも同じ長さである半径方向長を有し、かつ前記ロードプレートの前記外周端部に開口部を形成し、
前記外壁は、前記移送スロットの前記開口部のうちの少なくともいくつかに面することを特徴とする請求項１に記載の長軸部品ローダ。
【請求項３】
前記複数のスロットのうちの一つのスロットの前縁部と各移送スロットの前縁部との間に延在する面取りされた表面をさらに備えることを特徴とする請求項１に記載の長軸部品ローダ。
【請求項４】
前記複数のスロットのうちの前記スロットの後方端部は、前記回転可能なロードプレートの前記上面に対して９０度の角度を有することを特徴とする請求項１に記載の長軸部品ローダ。
【請求項５】
前記複数のスロットのそれぞれは、前記ロードプレートの前記上面の上部に、軸方向に立設された２つの放射状に延在したプレート部の間に形成され、かつ前記複数のスロットのそれぞれは、前記２つの放射状に延在したプレート部のうちの第１のプレート部によって形成された前記ロードプレートの回転方向に対して前縁部と、前記２つの放射状に延在したプレート部のうちの第２のプレート部によって形成された前記ロードプレートの前記回転方向に対して後縁部とを含み、
前記前縁部と前記後縁部とは、前記移送スロットに開口部を形成することを特徴とする請求項１に記載の長軸部品ローダ。
【請求項６】
前記ロードプレートの前記上面に対向する側で複数のスロットのうちの特定のスロットの前記前縁部と前記後縁部との上面に隣接して設置され、かつ前記外壁の内面に設置され、かつ前記ロードプレートの前記回転軸について設置される内壁をさらに備え、
各スロットは、チップの各長軸が前記ロードプレートの前記回転軸に対して垂直に位置する状態で、少なくとも２つのチップを支持するために十分な半径方向長を有し、
前記内壁は、前記複数のスロットのうちの前記特定のスロットの前記前縁部と前記後縁部とのそれぞれによって形成された開口部と面し、かつ前記開口部の半径方向長と少なくとも同じ大きさの幅を有することを特徴とする請求項５に記載の長軸部品ローダ。
【請求項７】
外周端部と、複数のチップを支持する、水平面から傾斜する上面とを有する回転可能なロードプレートと、
前記上面および前記ロードプレートの前記外周端部に位置する複数のスロットと、
前記ロードプレートの前記外周端部の曲率に従い、かつ前記外周端部のうちの少なくとも一部について隣接して設置される外壁と、
前記ロードプレートの前記上面および前記外壁の内面に対向する側で前記複数のスロットのうちの少なくとも特定のスロットと面して設置される内壁と、
前記複数の移送スロットとを備え、
前記複数のスロットのそれぞれは、前記回転可能なロードプレートの前記上面の上部に、軸方向に立設された２つの放射状に延在したプレート部の間に形成され、かつ前記複数のスロットのそれぞれは、前記２つの放射状に延在したプレート部のうちの第１のプレート部によって形成された前記回転可能なロードプレートの回転方向に対して前縁部と、前記２つの放射状に延在したプレート部のうちの第２のプレート部によって形成された前記回転可能なロードプレートの前記回転方向に対して後縁部とを含み、
前記複数の移送スロットのそれぞれは、前記複数のスロットの各スロットの前記前縁部と前記後縁部とによって形成し、かつ搬送手段へ移送するために細長いチップを収容する外周端部に位置する開口部を有し、前記複数の移送スロットは、前記回転可能なロードプレートの軸方向に延在し、前記複数のスロットの幅よりも狭い幅を有し、かつ前記回転可能なロードプレートの前記外周端部と終点を共有し、
前記複数のスロットのそれぞれは、チップの長軸が前記回転可能なロードプレートの前記回転軸に対して垂直に位置する状態で、かつ前記回転可能なロードプレートの半径と平行に位置する状態で前記複数の細長いチップのうちの少なくとも１つを収容する大きさであり、
各スロットから各移送スロットに下降する前記細長いチップが前記長軸で９０度の回転をするように、前記複数の移送スロットのそれぞれが形成されることを特徴とする長軸部品ローダ。
【請求項８】
各移送スロットは、前縁壁と後縁壁とを備え、前記後縁壁は前記後縁部に連続しており、  前記前縁壁は傾斜部と直線部とを含み、前記傾斜部は前記前縁部から、または前記前縁部から隔てられた肩部から前記直線部にかけて延在し、
各移送スロットは、前記長軸と少なくとも同じ長さである半径方向長を有する底面を有することを特徴とする請求項７に記載の長軸部品ローダ。
【請求項９】
搬送ベルトと、水平に傾斜し露出する上面を含む回転可能な供給プレートと、半径方向外端部と、前記半径方向外端部のうちの少なくとも一部分の曲率に一致し隣接して設置される外壁とを備える機械供給機構を用いて、チップを処理工程に供給する機械において、
前記半径方向外端部の周りで、前記露出上面に位置する複数のスロットと、
前記複数のスロットのそれぞれの外端部上で、前記露出上面から軸方向に延在し、かつ前記半径方向外端部に開口部を形成し、少なくとも特定の前記開口部は前記外壁の内面と面する移送スロットと、
前記露出上面に対向する側で複数のスロットの上面と面して設けられ、かつ前記外壁の内面に前記供給プレートの前記回転軸に沿って設けられた内壁と、をさらに備え、
前記複数のスロットのそれぞれは、チップの長軸が前記回転可能な供給プレートの回転軸に対して垂直に位置する状態で、かつ前記回転可能な供給プレートの半径に対して平行に位置する状態で、少なくとも１つの細長いチップを収容する大きさであり、
各スロットから各移送スロットへ下降する細長いチップが前記長軸で９０度の回転をすることを特徴とする装置。
【請求項１０】
前記複数のスロットのそれぞれは、前記露出上面の上部に、軸方向に立設された、２つの放射状に延在したプレート部の間に形成され、
前記複数のスロットのそれぞれは、前記２つの放射状に延在したプレート部のうちの第１のプレート部によって形成された前記回転可能な供給プレートの回転方向に対して前縁部と、前記２つの放射状に延在したプレート部のうちの第２のプレート部によって形成された前記回転可能な供給プレートの前記回転方向に対して後縁部とを含み、
各移送スロットは、前縁壁と後縁壁とを含み、前記後縁壁は前記後縁部に連続し、前記前縁壁は前記前縁部に連続し、各スロットの幅より狭い幅を有する部分を少なくとも備えることを特徴とする請求項９に記載の装置。
【手続補正２】
【補正対象書類名】明細書
【補正対象項目名】０００２
【補正方法】変更
【補正の内容】
【０００２】
はんだ付け可能なペーストを使用する場合のような追加的な処理工程用に、小型部品を積載しその配置方向を決定するための周知の装置および方法において、大量の小型部品が振動ボウルフィーダに配置される。放射状に一続きの部品の流れを形成するためには、このフィーダは、一連のゲート部、壁部および開口部を含むように構成される。これらの部品は、単一の層において、端と端が接した状態になっている。この放射状に連続する部品は、端から端までその向きを保ちつつ、線形に連続するように変換する線形振動装置に移送される。この装置から、線形に連続する部品は、円周部に複数の部品収容スロットを有する回転歯車に導かれる。
【手続補正３】
【補正対象書類名】明細書
【補正対象項目名】００２４
【補正方法】変更
【補正の内容】
【００２４】
上述したように、１つ以上のチップ２４を移送スロット４４に含めることができる。同時に、これらのチップ２４を移送スロット４４から空にするために、スロット７０に数の上で対応しているディスク７２が、チップ２４を移送スロット４４から放射状に外側に向けて開口６２を介して搬送ベルト１２に向けて付勢するように、１つ以上のスロット７０を互いに近接し間隔があり並行する軸７４に共通して設置することができる。
【手続補正４】
【補正対象書類名】図面
【補正対象項目名】図１
【補正方法】変更
【補正の内容】
【図１】
2009534277.tif 000001